【手続補正書】
【提出日】平成18年6月2日(2006.6.2)
【手続補正１】
【補正対象書類名】明細書
【補正対象項目名】全文
【補正方法】変更
【補正の内容】
【書類名】      明細書
【発明の名称】      規格化されたネットワークと規格化されていないネットワークとの無線結合
【特許請求の範囲】
【請求項１】
複数の規格化されたネットワークと少なくとも１つの規格化されていないノードとを含むシステムにおける無線通信方法において、該方法が各規格化されたネットワークに対して、
ａ）各他の規格化されたネットワークと各規格化されていないノードとを表す各仮想ノードを含むような対応する仮想ネットワークを確立するステップと、
ｂ）各他の規格化されたネットワークと、対応する前記仮想ノードとの間において、前記他の規格化されたネットワークと互換性のある通信フォーマット／プロトコルで情報を伝送するステップと、
ｃ）各前記規格化されていないノードと、対応する前記仮想ノードとの間において、前記規格化されていないノードと互換性のある通信フォーマット／プロトコルで情報を伝送するステップと、
ｄ）各前記仮想ノードと、対応する当該規格化されたネットワークとの間において、該対応する規格化されたネットワークと互換性のある通信フォーマット／プロトコルで情報を伝送するステップと、
を有していることを特徴とする方法。
【請求項２】
請求項１に記載の方法において、前記規格化されたネットワークの各々が、当該ネットワークにおける規格化されたノードと通信する実半ブリッジを有し、前記仮想ネットワークが、前記実半ブリッジ及び前記仮想ノードと前記通信フォーマット／プロトコルで通信する仮想半ブリッジを含んでいることを特徴とする方法。
【請求項３】
第１の規格化されたネットワークと、少なくとも１つの他の規格化されたネットワークと、少なくとも１つの規格化されていないノードとを含むようなシステムにおける無線通信方法において、該方法が、
ａ）各他の規格化されたネットワーク及び各規格化されていないノードの素性を決定すると共に、各前記他の規格化されたネットワーク及び各前記規格化されていないノードと互換性のある通信フォーマット／プロトコルを選択するステップと、
ｂ）各他の規格化されたネットワーク及び各規格化されていないノードを表す仮想ノードを確立するステップと、
ｃ）各各他の規格化されたネットワークと、対応する前記仮想ノードとの間において、前記他の規格化されたネットワークと互換性のある通信プロトコルで情報を伝送するステップと、
ｄ）各前記規格化されていないノードと、対応する前記仮想ノードとの間において、前記規格化されていないノードと互換性のあるフォーマット／プロトコルで情報を伝送するステップと、
ｅ）各前記仮想ノードと、前記第１の規格化されたネットワークとの間において、該第１の規格化されたネットワークと互換性のある通信フォーマット／プロトコルで情報を伝送するステップと、
を有することを特徴とする方法。
【請求項４】
ａ）無線通信用の送受信機を有する少なくとも１つの規格化されていないノードと、
ｂ）複数の規格化されたネットワークと、
を有し、該複数の規格化されたネットワークの各々が、
i）当該バスに接続された何れかの規格化されたノードの間での通信を伝送する局部バスと、
ii）前記少なくとも１つの規格化されていないノードとの無線通信のための送受信機を含む局部無線局と、
iii）前記局部バス及び前記局部無線局に結合されると共にコントローラ及びメモリを含み、協働して、
(1) 各他の規格化されたネットワーク及び各規格化されていないノードを表す仮想ノードを前記メモリ内に確立し、
(2)  各他の規格化されたネットワークと、対応する前記仮想ノードとの間において、前記他の規格化されたネットワークと互換性のある通信プロトコルで情報を伝送し、
(3) 各前記規格化されていないノードと、対応する前記仮想ノードとの間において、前記規格化されていないノードと互換性のあるフォーマット／プロトコルで情報を伝送し、
(4) 各前記仮想ノードと、当該局部的な規格化されたネットワークとの間において、該局部的な規格化されたネットワークと互換性のある通信フォーマット／プロトコルで情報を伝送する、
ような局部仮想ネットワークと、
を含んでいることを特徴とする無線情報システム。
【請求項５】
請求項４に記載の無線情報システムに使用する通信ノードにおいて、該通信ノードは当該バスに接続された何れかの規格化されたノード間で通信を伝送する局部バスを含むような規格化されたネットワークの一部であり、前記通信ノードが、
ａ）前記システム内の少なくとも１つの規格化されていないノードとの無線通信のための送受信機を含む局部無線局と、
ｂ）前記局部バス及び前記局部無線局に結合されると共にコントローラ及びメモリを含み、協働して、
(1) 前記システムにおける各他の規格化されたネットワーク及び各規格化されていないノードを表す仮想ノードを前記メモリ内に確立し、
(2)  各他の規格化されたネットワークと、対応する前記仮想ノードとの間において、前記他の規格化されたネットワークと互換性のある通信プロトコルで情報を伝送し、
(3) 各前記規格化されていないノードと、対応する前記仮想ノードとの間において、前記規格化されていないノードと互換性のあるフォーマット／プロトコルで情報を伝送し、
(4) 各前記仮想ノードと、当該局部的な規格化されたネットワークとの間において、該局部的な規格化されたネットワークと互換性のある通信フォーマット／プロトコルで情報を伝送する、
ような局部仮想ネットワークと、
を含んでいることを特徴とする通信ノード。
【発明の詳細な説明】
【０００１】
【技術分野】
本発明は情報システムにおける無線結合に係り、特には、規格化された情報装置と、規格化された装置及び規格化されていない装置の両装置との無線結合に関する。
【０００２】
【背景技術】
情報装置の無線結合は、多数の刊行物に記載されている。例えば、国際特許出願公開第ＷＯ９７／２９６０５号公報は、作業群会員資格が物理的配線変更無しで再定義されるのを可能にするような無線仮想ローカルエリアネットワーク（ＬＡＮ）を記載している。これは、例えば、遠隔配置されたＬＡＮの間での通信を容易化する、及び一群の携帯コンピュータの間での特別なネットワーク化を可能にするのに特に有効である。
【０００３】
このような既知の無線結合装置は非常に有効ではあるが、これらは規格化された情報装置、即ち共通の規格に従って互いに通信するように構成されている情報装置、の結合に限定される。典型的な例は、共通の情報バス上で通信するようになっているコンピュータのネットワークである。しかしながら、規格化された情報装置と、規格化されていない情報装置、即ち共通の規格に従っては通信するように構成されていない情報装置、との間で無線通信を確立するのが望ましい他の多数の応用分野も存在する。規格化されていない情報装置は、共通に使用される規格に従って通信するようにはされていないコンピュータのような、規格化可能な情報装置と、そのようにされるには充分な知能を有していないような規格化不可能な情報装置の両方を含む。無線通信が特に利点を有するような典型的な規格化不可能な情報装置の例は、防犯装置、オーディオ及びビデオ装置、電話装置等である。システム内の各規格化されていない情報装置に充分なハードウェアを設けて、該装置を共通規格に従って通信をすることができるようにすることは可能であるが、この方策は高価であり、しばしば非現実的な解決策である。また、この方策は当該システム内の全ての規格化されていない情報装置の大幅な改造を必要とする。
【０００４】
本出願と同時に出願された米国特許出願（整理番号：ＰＨＡ２３４１４）は、規格化されたノードと規格化されていないノードとの無線結合に関する方法及び用途を開示しており、該文献は参照することにより本明細書に組み入れるものとする。しかしながら、規格化されたネットワークの、規格化されていないノードと他の規格化されたネットワークとの組合せへの無線結合を実施するのも望ましい。
【０００５】
【発明の開示】
本発明の１つの目的は、規格化されたネットワークと、規格化されていないノード及び他の規格化されたネットワークの組合せとの間の経済的な無線結合を可能にするような方法及び装置を提供することにある。ここで使用されているように：
・  "ノード"とは、情報を生成し、処理し又は利用することが可能な何らかの装置を意味し；
・  "規格化されたノード"とは、共通の規格に従って他のノードと通信するように構成されているノードを意味し；
・  "規格化されたネットワーク"とは、他の規格化されたノードと通信するためにバスに結合された少なくとも１つの規格化されたノードを意味し；
・  "規格化されていないノード"とは、共通の規格に従って他のノードと通信するようには構成されていないノードを意味し；
・  "無線通信"とは、例えば、無線周波数（ＲＦ）、赤外線（ＩＲ）及び音響エネルギ伝搬モードを含むような、情報が伝送されるために実現可能な何らかのエネルギ伝搬モードを介して情報を伝送することを意味する。
【０００６】
また、本発明の他の目的は、無線通信システムへ及び斯かるシステムから規格化された及び規格化されていない両方のノードを自動的に追加及び削除するような方法及び装置を提供することにある。
【０００７】
また、本発明の更に他の目的は、異なる規格に従って動作する規格化されたネットワークの無線結合を容易化するような方法及び装置を提供することにある。
【０００８】
本発明による方法においては、複数の規格化されたネットワークと少なくとも１つの規格化されていないノードとを含むシステムにおける無線通信が、各規格化されたネットワークに対して、
・  各他の規格化されたネットワークと各規格化されていないノードとを表す各仮想ノードを含むような対応する仮想ネットワークを確立し、
・  各他の規格化されたネットワークと、対応する前記仮想ノードとの間において、前記他の規格化されたネットワークと互換性のある通信フォーマット／プロトコルで情報を伝送し、
・  各規格化されていないノードと、対応する前記仮想ノードとの間において、前記規格化されていないノードと互換性のある通信フォーマット／プロトコルで情報を伝送し、
・  各仮想ノードと、対応する当該規格化されたネットワークとの間において、該対応する規格化されたネットワークと互換性のある通信フォーマット／プロトコルで情報を伝送する、
ことにより達成される。
【０００９】
本発明による装置においては、無線情報システムが、
・  無線通信用の送受信機を有する少なくとも１つの規格化されていないノードと、
・  複数の規格化されたネットワークと、
を含み、該複数の規格化されたネットワークの各々が、
・  当該バスに接続された何れかの規格化されたノードの間での通信を伝送する局部バスと、
・  前記少なくとも１つの規格化されていないノードとの無線通信のための送受信機を含む局部無線局と、
・  前記局部バス及び前記局部無線局に結合されると共にコントローラ及びメモリを含み、協働して、
・  各他の規格化されたネットワーク及び各規格化されていないノードを表す仮想ノードを前記メモリ内に確立し、
・  各他の規格化されたネットワークと、対応する前記仮想ノードとの間において、前記他の規格化されたネットワークと互換性のある通信プロトコルで情報を伝送し、
・  各前記規格化されていないノードと、対応する前記仮想ノードとの間において、前記規格化されていないノードと互換性のあるフォーマット／プロトコルで情報を伝送し、
・  各前記仮想ノードと、当該局部的な規格化されたネットワークとの間において、該局部的な規格化されたネットワークと互換性のある通信フォーマット／プロトコルで情報を伝送する、
ような局部仮想ネットワークと、
を含むことにより形成される。
【００１０】
【発明を実施するための最良の形態】
図１の情報システムは複数の規格化されていないノードｘ、ｙ、ｚ及びサブシステムＥ、Ｋ、Ｌを含み、各サブシステムは実ネットワーク、仮想ネットワーク及び対応する無線局を含んでいる。更に詳細には、
・  サブシステムＥは、規格化されたノードａ、ｂ、ｃ及びそれ自身は規格化されたノードである実半ブリッジｄを有する実ネットワークと；仮想半ブリッジｅ及び仮想プロキシノードｘ’、ｙ’、ｚ’、ｋ’、ｌ’を有する仮想ネットワークと；無線局Ｔとを含んでいる。
・  サブシステムＫは、規格化されたノードｆ、ｇ、ｈ、ｉ及びそれ自身は規格化されたノードである実半ブリッジｊを有する実ネットワークと；仮想半ブリッジｋ及び仮想プロキシノードｘ’、ｙ’、ｚ’、ｅ’、ｌ’を有する仮想ネットワークと；無線局Ｔとを含んでいる。
・  サブシステムＬは、規格化されたノードｎ、ｏ及びそれ自身は規格化されたノードである実半ブリッジｍを有する実ネットワークと；仮想半ブリッジｌ及び仮想プロキシノードｘ’、ｙ’、ｚ’、ｅ’、ｋ’を有する仮想ネットワークと；無線局Ｔとを含んでいる。
【００１１】
この型式の実際の情報システムは、例えば：
・  共通情報バスを介して相互に及び半ブリッジｄと通信するために結線されたパーソナルコンピュータａ、ｂ、ｃを含む規格化されたノードを有するオフィスコンピュータシステム；
・  プリンタｘ、ハードディスク装置ｙ及び画像スキャナｚを含む規格化されていないノード；
・  共通情報バスを介して互いに及び半ブリッジｊと通信するために結線されたデジタルＴＶｆ、デジタルＶＣＲｇ、防犯カメラｈ及びデジタルステレオシステムｉを含むような規格化されたノードを有する娯楽及び警備システム；
・  共通情報バスを介して互いに及び半ブリッジｍと通信するために結線された携帯コンピュータｎ及びｏ；
を含む。
【００１２】
実半ブリッジｄ、ｊ、ｍの各々は、当該ブリッジが一部である実ネットワークと、対応する仮想ネットワークとの間の情報を可制御的に受け渡す。これらの半ブリッジの各々の設計に依存して、該ブリッジは対応する実ネットワーク内の他のノード間の情報の受け渡しも制御することができる。
【００１３】
規格化されていないノードｘ、ｙ、ｚは、各々、特別な型式の情報装置に加えて、前記無線局Ｔとの無線通信用の送受信機を含んでいる。これらのノードの各々は、各情報装置と送受信機との間の情報の流れをローカルに調整する少なくとも最小限の知能も含んでいる。上記特別の情報装置の固有の複雑さに依存して、この最小限の知能は、例えば既存のプロセッサ又はマイクロプロセッサ内の追加の論理ハードウェア及び／又はソフトウェア、専用のマイクロプロセッサ又は専用の論理ハードウェア、等の種々の形態のうちの何れかをとることができる。
【００１４】
各無線局Ｔは、ノードｘ、ｙ、ｚの上記送受信機との無線通信のための局部送受信機と、この局部送受信機と対応するローカル仮想ネットワークとの間の情報の流れを調整する無線リンクとを含んでいる。各無線局及び規格化されていないノードｘ、ｙ、ｚの各々は、無線通信のために選択されたエネルギモードの伝搬のための各変換器も含んでいる。図１に示す実施例では、ＲＦエネルギを伝搬するためのアンテナが図示されている。
【００１５】
各仮想ネットワークは、対応する実半ブリッジ、規格化されていないノード及び他の仮想ネットワーク内の仮想半ブリッジに対して形成されるモデルである。詳細には：
・  サブシステムＥにおいて、仮想半ブリッジｅは、半ブリッジｄ及びｅが全体として規格化された全ブリッジを形成するように、実半ブリッジｄに対し相補的となるようにモデル化される。仮想プロキシノードｘ’、ｙ’、ｚ’は、対応する規格化されていないノードｘ、ｙ、ｚを表すようにモデル化されるが、実ノードａ、ｂ、ｃが実半ブリッジｄと通信するのと同一の規格において仮想半ブリッジｅと通信するように修正される。仮想プロキシノードｋ’及びｌ’は、対応するサブシステムＫ及びＬにおける各仮想ノードｋ及びｌを表すようにモデル化され、仮想半ブリッジｅと通信するために、必要なら、修正される。このような修正は、仮想ノードｋ及びｌが通信する実ネットワークが、ノードｄが一部である実ネットワークとは異なる規格に従って動作する場合にのみ必要である。
・  サブシステムＫにおいて、仮想半ブリッジｋは、半ブリッジｊ及びｋが全体として規格化された全ブリッジを形成するように、実半ブリッジｊに対し相補的となるようにモデル化される。仮想プロキシノードｘ’、ｙ’、ｚ’は、対応する規格化されていないノードｘ、ｙ、ｚを表すようにモデル化されるが、実ノードｆ、ｇ、ｈ、ｉが実半ブリッジｊと通信するのと同一の規格において仮想半ブリッジｋと通信するように修正される。仮想プロキシノードｅ’及びｌ’は、対応するサブシステムＥ及びＬにおける各仮想ノードｅ及びｌを表すようにモデル化され、仮想半ブリッジｋと通信するために、必要なら、修正される。このような修正は、仮想ノードｅ及びｌが通信する実ネットワークが、ノードｊが一部である実ネットワークとは異なる規格に従って動作する場合にのみ必要である。
・  サブシステムＬにおいて、仮想半ブリッジｌは、半ブリッジｍ及びｌが全体として規格化された全ブリッジを形成するように、実半ブリッジｍに対し相補的となるようにモデル化される。仮想プロキシノードｘ’、ｙ’、ｚ’は、対応する規格化されていないノードｘ、ｙ、ｚを表すようにモデル化されるが、実ノードｎ、ｏが実半ブリッジｍと通信するのと同一の規格において仮想半ブリッジｌと通信するように修正される。仮想プロキシノードｅ’及びｋ’は、対応するサブシステムＥ及びＫにおける各仮想ノードｅ及びｋを表すようにモデル化され、仮想半ブリッジｌと通信するために、必要なら、修正される。このような修正は、仮想ノードｅ及びｋが通信する実ネットワークが、ノードｍが一部である実ネットワークとは異なる規格に従って動作する場合にのみ必要である。
【００１６】
図２は、前記サブシステムＥ、Ｋ、Ｌの各々において実半ブリッジ、仮想ネットワーク及び無線局を形成する低レベルサブシステムの一実施例を図示している。この低レベルサブシステムは、ブリッジインターフェースユニット２０と、仮想知能ユニット３０と、図１に関して説明した無線局Ｔとを含んでいる。
【００１７】
無線局Ｔは、送受信機１２と無線リンク１４とを含んでいる。上記送受信機は通常の装置であり、該送受信機の型式は無線通信用に選択される伝搬モードに依存する。無線リンク１４も下記機能を果たす通常の装置である：
・  送受信機１２により当該システムにおける他の仮想ネットワークから受信された信号を、仮想知能ユニット３０へ伝送する；
・  仮想知能ユニット３０から受信された信号を、当該システムにおける他の仮想ネットワークへ送信するために送受信機１２に伝送する；
・  規格化されていないノードｘ、ｙ、ｚから送受信機１２を介して受信された信号を、仮想知能ユニット３０と互換性のあるフォーマットに変換する；
・  上記仮想知能ユニットから受信された信号を、上記送受信機及び規格化されていないノードと互換性のあるフォーマットに変換する；
・  上記仮想知能ユニットと、タイミング及び制御信号を交換して、仲裁を実行する、即ち上記の規格化されていないノードへの及び斯かるノードからの情報の伝送を調整する。
上記無線リンクは、例えば、上記フォーマット変換を実行するマイクロプロセッサ及びソフトウェアを用いることにより実施化することができる。他の例として、前記の規格化されていないノードとの通信のために選択されるフォーマットが、大掛かりなハードウェアを必要とする程複雑ではない場合は、該無線リンクは論理回路を用いて構成することもできる。例えば、１９８８年１０月６日に公開された国際特許出願公開第ＷＯ８８／０７７９４号に記載された無線リンクを参照されたい。
【００１８】
仮想知能ユニット３０は、コントローラ３２と、プログラムメモリ３４と、データメモリ３６とを含んでいる。バスを介して前記無線局Ｔとブリッジインターフェースユニット２０とに結合された上記コントローラは、例えば、マイクロプロセッサ、マイクロコントローラ又はデジタル信号プロセッサとすることができる。該コントローラは、上記プログラムメモリ内の命令の指令の下で、上記無線局Ｔと協働して：
・  現在送受信機１２と無線通信することが可能な他の仮想ノード及び何れかの規格化されていないノードの存在を検出し；
・  上記の検出されたノードを表す仮想プロキシノード（例えば、サブシステムＥの仮想ネットワークにおけるノードｘ’、ｙ’、ｚ’、ｋ’、ｌ’）を、検出された各ノードの記述と該ノードから受信されたか又は該ノードへ送信すべきかの何れかのデータとを上記データメモリに記憶することにより形成し；
・  上記無線局と協調して上記仮想プロキシノード（例えば、ｘ’、ｙ’、ｚ’、ｋ’、ｌ’）と、これらが表す実及び仮想ノード（ｘ、ｙ、ｚ、ｋ、ｌ）との間の通信を交換する；
能力を有している。
【００１９】
上記プログラムメモリ及びデータメモリには、例えば：
・ 上記プロキシノードにより表される規格化されていないノードの各々に固有なフォーマティング情報；
・  各仮想ネットワークが接続された実半ブリッジ（例えば、ｄ）の規格とは異なる規格に従って動作するようなプロキシノード（例えば、ｋ’、ｌ’）により表される全ての規格化されたノードとの通信を容易化するためのフォーマティング情報；
・  上記プロキシノードにより表されるノードの何れかから受信された又は斯かるノードへ送信されるべきデータに対する処理を実行するためのアルゴリズム；
・  上記プロキシノードにより表される各ノードとの通信に関する相対優先度；
を含む種々の情報を上記仮想プロキシノードに関連させて記憶することができることに注意されたい。
【００２０】
更に、当該仮想知能ユニットは、各仮想ネットワークが通信すべき規格化されていない及び規格化されたノードの型式の変化に容易に適合されることに注意されたい。新たな型式の規格化されていないノード及び異なる規格に従い動作する規格化されたノードと通信するために要する例えばプログラム命令及び既述データ等の情報は、該仮想知能ユニットの上記プログラム及びデータメモリに容易に追加することができる。
【００２１】
ブリッジインターフェースユニット２０及び仮想知能ユニット３０は、協働して前記サブシステムＥ、Ｋ、Ｌの各々における実半ブリッジと仮想半ブリッジとを有するブリッジを形成する。各実半ブリッジ（例えばサブシステムＥにおけるノードｄ）は、該実半ブリッジに接続された各規格化されたノード（例えば、ａ、ｂ、ｃ）と、それらの共通規格に従って通信しなければならない。各仮想半ブリッジ（例えば、サブシステムＥにおけるノードｅ）は、全ての仮想プロキシノード（例えば、ｘ’、ｙ’、ｚ’、ｋ’、ｌ’）と、それらの各フォーマットであらゆる場合に通信することができなければならない。これら半ブリッジは、互いに共通な如何なるフォーマットでも互いに通信することができる。
【００２２】
図２に示す実施例においては、全ての実ネットワーク（即ち、ノードａ、ｂ、ｃ、ｄ；ノードｆ、ｇ、ｈ、ｉ、ｊ；及びノードｍ、ｎ、ｏを持つネットワーク）に対して選択される規格は、ＩＥＥＥ１３９４規格である。この規格は、公報 IEEE Std 1394〜1995の"高性能直列バス用のIEEE規格"（１９９６年８月３０日）に詳細に記載されており、該文献は引用することにより本明細書に組み込まれるものとする。これは、高速度デジタルビデオデータの伝送も含み、コンピュータ周辺機器及び消費者用電子機器の高性能バス相互接続用として特に有効な規格である。
【００２３】
前記サブシステム（Ｅ、Ｋ、Ｌ）の各々において、実半ブリッジ（ｄ、ｊ、ｍ）の一部は対応するブリッジインターフェースユニット２０により形成され、該ユニットは、１３９４規格物理レイヤ２２と、１３９４規格リンクレイヤ２４とを含んでいる。これらのレイヤは共に機能論理要素であり、これら要素はIEEE Std 1394〜1995及びIEEE公報P1394.1草案0.03"高性能直列バスブリッジ用のP1394.1規格草案"（１９９７年１０月１８日）に総合的に記載されている。該文献は引用することにより本明細書に組み込まれるものとする。物理レイヤ２２は、例えばノードｈ、ｐ、ｑ等の１３９４規格ノードが通信する共通バスへの物理的接続のための例示的なポート１、２、３を含み；仲裁サービスを行うことにより一度に１つのノードのみが上記共通バス上で情報を伝送することを保証し；リンクレイヤ２４から受信された通信を１３９４規格に変換する。該リンクレイヤは、上記物理レイヤから受信された通信を規格化されたデータグラムにフォーマットし、該データグラムは、前記プロキシノード（例えば、サブシステムＥにおけるｘ’、ｙ’、ｚ’、ｋ’、ｌ’）により表されると共に無線局Ｔと現在通信中のノードの所定の１つに伝送するためにアドレス指定され且つフレーム化される。
【００２４】
サブシステム（Ｅ、Ｋ、Ｌ）の各々において、仮想知能ユニット３０は実半ブリッジ（ｄ、ｊ、ｍ）の残部を形成すると共に、仮想半ブリッジ（ｅ、ｋ、ｌ）を形成する。更に詳細には、コントローラ３２は、プログラムメモリ３４及びデータメモリ３６と共に：
・  実及び仮想半ブリッジ（ｄｅ、ｊｋ、ｍｌ）を結合する共通1394.1規格スイッチング構造（内部構造：internal fabric）；及び
・  各仮想ネットワークにおける現在の仮想プロキシノードへのリンクを伴う仮想半ブリッジ（ｅ、ｋ、ｌ）の残部；
を形成する。
【図面の簡単な説明】
【図１】
図１は、本発明により通信する情報システムの一実施例を図示する概念図である。
【図２】
図２は、図１の情報システムの一部の実施例を図示するブロック図である。
【符号の説明】
ａ,ｂ,ｃ  実ネットワーク
ｆ,ｇ,ｈ,ｉ  実ネットワーク
ｎ,ｏ  実ネットワーク
ａ、ｂ、ｃ、ｄ、ｆ、ｇ、ｈ、ｉ、ｊ、ｍ、ｎ、ｏ  規格化されたノード
ｄ、ｊ、ｍ  実半ブリッジ
ｅ、ｋ、ｌ  仮想半ブリッジ
Ｔ  無線局
ｘ、ｙ、ｚ  規格化されていないノード
１２  送受信機
２０  ブリッジインターフェースユニット
３０  仮想知能ユニット
３２  コントローラ
３４  プログラムメモリ
３６  データメモリ